(57)【要約】【課題】制御基板を収容する基板ケースを確実に封印し、外部からの不正行為を防止できるようにする。【解決手段】係止封印部４９として、ベース４５の右側面に形成された突部５１の内側に、前方に突出して一体形成されその先端に係止爪５３ａを有する係止体５３ｂとから成る係止部５３を備えると共に、カバー４５の右側面に形成された前後方向の突条部５５と、この突条部５５の内側に形成された凹部５７と、カバー４５の凹部５７の上下端に連続しカバー４５の後端まで延びて形成された溝とから成る被係止部６１を備える。そして、ベース４３をカバー４５により覆うことにより、係止部５３の係止爪５３ａを被係止部６１の凹部５７に係止させ、これにより基板ケース４１を封印する。【選択図】　　　　図４
2004049469.tif 000002
【特許請求の範囲】
【請求項１】
ベースとカバーとに分割され遊技機筐体に固定される基板ケースに設けられ、遊技機用の制御基板を前記基板ケース内に収容して前記基板ケースを封印する遊技機用制御基板ケースの封印装置において、
前記ベースまたは前記カバーの一方に形成された係止部と、
前記ベースまたは前記カバーの他方の内側に形成され前記ベースを前記カバーで覆うことにより前記係止部が係止する被係止部と、
前記ベースまたは前記カバーの他方の前記被係止部近傍に形成され前記ベースまたは前記カバーの一方の内側に当接した補強部と
を備えていることを特徴とする遊技機用制御基板ケースの封印装置。
【請求項２】
前記被係止部が、前記ベースまたは前記カバーの他方の側面内側に形成された凹部から成り、
前記係止部が、前記ベースまたは前記カバーの一方に形成され先端に係止爪を有する係止体から成り、
前記係止爪が前記凹部に係止して前記基板ケースを封印することを特徴とする請求項１に記載の遊技機用制御基板ケースの封印装置。
【請求項３】
前記ベースまたは前記カバーの前記被係止部周辺における肉厚が薄く設定されていることを特徴とする請求項１または２に記載の遊技機用制御基板ケースの封印装置。
【請求項４】
前記凹部に挿脱自在に嵌挿されるスペーサを備えていることを特徴とする請求項１ないし３のいずれかに記載の遊技機用制御基板ケースの封印装置。
【発明の詳細な説明】
【０００１】
【発明の属する技術分野】
この発明は、ベースとカバーとに分割され遊技機筐体に固定される基板ケースに設けられ、遊技機用の制御基板を基板ケース内に収容して封印する遊技機用制御基板ケースの封印装置に関する。
【０００２】
【従来の技術】
一般に、スロットマシンやパチンコ機等の遊技機は、マイクロコンピュータにより制御されるようになっており、このマイクロコンピュータは予め所定パターンのプリント配線が施された制御基板上に、ＣＰＵやＲＯＭ、ＲＡＭ等のチップ部品が実装されて構成され、この制御基板が、図８に示すような基板ケース１００内に収容されて遊技機筐体内の所定位置に配設される。
【０００３】
ところで、この基板ケース１００は、図８に示すように、透明樹脂製のベース１０１とカバー１０２とに分割され、基板ケース１００内に制御基板を収めた後、かしめ部１０３においてベース１０１とカバー１０２とをかしめて封印し、このかしめ部１０３を壊さない限り基板ケース１００を開けることができない構造になっている。ここで、図８には示されていないホルダが遊技機筐体内部の所定位置に固着され、基板ケース１００のベース１０１はこのホルダを介して遊技機筐体に固定されている。
【０００４】
そして、かしめ部１０３は、図８に示すように、例えば基板ケース１００の右側面に設けられた６個の封印部材１０４〜１０９を備え、更にこれら各封印部材１０４〜１０９は、カバー１０２の右側面に一体的に形成されたほぼ円筒状を成すカバー側封印部１０４ａ〜１０９ａと、ベース１０１の右側面であって各カバー側封印部１０４ａ〜１０９ａそれぞれとの対向位置に一体的に形成されたベース側封印部１０４ｂ〜１０９ｂとを備え、ねじにより各カバー側封印部１０４ａ〜１０９ａそれぞれと各ベース側封印部１０４ｂ〜１０９ｂそれぞれとが締結されて封印されるようになっている。但し、図８において、１１０，１１１，１１２はカバー１０２に形成された透孔から導出されたピンヘッダであり、基板ケース１００内の制御基板に配設されており、外部ケーブルに接続される。
【０００５】
このとき、当初内蔵されている正規のＲＯＭを取り外して不正な変造ＲＯＭが取り付けられることを防止するために、まず１番目の封印部材１０４の両封印部１０４ａ，１０４ｂがねじ止めされてケース１００が封印され、この封印状態のまま制御基板が基板ケース１００ごとパチンコホールに搬送される。更に、パチンコホールにおいて、２番目の両封印部１０５ａ，１０５ｂがねじ止めされて封印状態のケース１００がホルダを介して遊技機筐体に固定される。
【０００６】
そして、監督機関が変造ＲＯＭを取り締まるために、パチンコホールにおいてチェックする際に、ねじ止めされている１番目及び２番目の封印部材１０４，１０５が切断されて封印解除され、チェック終了後に３番目の封印部材１０６の両封印部１０６ａ，１０６ｂがねじ止めされ、このような監督機関による変造ＲＯＭの取り締まりごとに４番目、５番目の封印部材１０７，１０８が順次ねじ止めされて封印され、合計３回の監督機関によるチェックまで許容される構造になっている。
【０００７】
尚、制御基板を基板ケース１００ごと回収する際に、５番目の封印部材１０８が切断されて基板ケース１００が遊技機筐体から取り外し可能な状態にされると共に、６番目の封印部材１０９がねじ止めされて基板ケース１００が封印状態のまま搬送可能な状態にされ、制御基板が基板ケース１００ごと回収される。
【０００８】
【発明が解決しようとする課題】
しかし、上記したような従来のかしめ部１０３は、ねじ止めによって封印するものであるため、ねじ頭に形成されているマイナスドライバの係合溝を、逆動できないような傾斜構造にしてあるものの、円筒状のカバー側封印部１０４ａ〜１０９ａに外部から特殊工具を挿入して締結状態のねじを逆動操作して緩めることが可能であり、制御基板に対して何らかの不正行為を施すことができ、いわゆるゴト行為を防止することができないおそれがあった。
【０００９】
特に、不正行為が行われるのは、１番目の封印部材１０４の両封印部１０４ａ，１０４ｂがねじ止めされて基板ケース１００が封印されてから、パチンコホールに搬送されるまでの間に実行されることが多く、１番目の封印部１０４ａ，１０４ｂの構造に対する不正防止のための改善策が望まれる。
【００１０】
そこで、本発明は、制御基板を収容する基板ケースを確実に封印し、外部からの不正行為を防止できるようにすることを目的とする。
【００１１】
【課題を解決するための手段】
上記した目的を達成するために、本発明は、ベースとカバーとに分割され遊技機筐体に固定される基板ケースに設けられ、遊技機用の制御基板を前記基板ケース内に収容して前記基板ケースを封印する遊技機用制御基板ケースの封印装置において、前記ベースまたは前記カバーの一方に形成された係止部と、前記ベースまたは前記カバーの他方の内側に形成され前記ベースを前記カバーで覆うことにより前記係止部が係止する被係止部と、前記ベースまたは前記カバーの他方の前記被係止部近傍に形成され前記ベースまたは前記カバーの一方の内側に当接した補強部とを備えていることを特徴としている（請求項１）。
【００１２】
このような構成によれば、ベースをカバーで覆うことにより、係止部が被係止部に係止するため、係止部の被係止部への係止により基板ケースを封印することができる。このとき、被係止部がベースまたはカバーの他方の内側に形成されているため、外部から係止状態の係止部及び被係止部に対して細工することを防止でき、不正行為を確実に防止することができる。
【００１３】
更に、補強部が係止部近傍のベースまたはカバーに当接するため、係止部近傍のベースまたはカバーの撓みを補強部によって防止することができ、ベースまたはカバーを外部から撓ませることによる係止部の被係止部との係止解除を未然に防止でき、不正行為をより確実に防止することができる。
【００１４】
また、本発明は、前記被係止部が、前記ベースまたは前記カバーの他方の側面内側に形成された凹部から成り、前記係止部が、前記ベースまたは前記カバーの一方に形成され先端に係止爪を有する係止体から成り、前記係止爪が前記凹部に係止して前記基板ケースを封印することを特徴としている（請求項２）。
【００１５】
このような構成によれば、ベースをカバーで覆うことにより、係止爪が凹部に係止して基板ケースが封印されるため、従来のようなねじ止め作業等が不要になり、封印作業を非常に簡単に行うことができる。
【００１６】
また、本発明は、前記ベースまたは前記カバーの前記被係止部周辺における肉厚が薄く設定されていることを特徴としている（請求項３）。このような構成によれば、ベースまたはカバーの被係止部周辺における肉厚が薄いため、基板ケースの封印を解除する必要が生じた場合に、薄肉部分において被係止部を切離することができ、係止部と被係止部との係止状態を簡単に解除して基板ケースの封印を解除することができる。
【００１７】
また、本発明は、前記凹部に挿脱自在に嵌挿されるスペーサを備えていることを特徴としている（請求項４）。このような構成によれば、係止部を被係止部に係止させないままベースをカバーで覆う際に、被係止部を成す凹部にスペーサを嵌挿しておくことにより、係止部が被係止部に誤って係止してしまうことを防止できる。ここで、係止部を被係止部に係止するには、凹部からスペーサを除去すればよい。
【００１８】
【発明の実施の形態】
この発明を遊技機であるスロットマシンに適用した場合における一実施形態について図１ないし図７を参照して説明する。但し、図１はスロットマシンの正面図、図２及び図３はそれぞれケースの一部の正面図及び右側面図、図４は他の一部の分解斜視図、図５は更に他の一部の切断平面図、図６は図５の異なる断面における切断平面図、図７は図５の異なる状態における切断平面図である。
【００１９】
本実施形態におけるスロットマシンは、例えば図１に示すように構成されている。即ち、図１に示すように、スロットマシン１では、筐体３の前面が前面パネル５により開閉自在に閉塞され、この前面パネル５のほぼ中央高さの位置に操作板７が配設されると共に、この操作板７の上方に正面板９が配設されている。
【００２０】
そして、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２１】
更に、この操作板７には、クレジットされているメダルから投入を行うクレジットメダルボタン１５、各リールの回転を開始させるためのスタートレバー１７、第１ないし第３ストップボタン１９，２１，２３、及び、メダル投入口２５や払出しボタン２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。
【００２２】
ところで、筐体３内部の上側には、ＣＰＵやＲＯＭ、ＲＡＭ等のチップ部品が実装された制御基板を収容した基板ケースが配設される。図２及び図３に示すように、この基板ケース４１は、透明樹脂製のベース４３とカバー４５とに分割され、基板ケース４１内に制御基板４７（図５〜７参照）が収められた後、右側のかしめ部においてベース４３とカバー４５とがかしめられて封印され、筐体３内部に固着されたホルダに基板ケース４１が固定され、かしめ部を壊さない限り基板ケース４１を開けることができない構造になっている。尚、ベース４３及びカバー４５の左側には、凹凸の組み合わせから成る係合部及び被係合部が形成され、これら係合部及び被係合部によりベース４３及びカバー４５の左側が係脱自在に係合されている。
【００２３】
ところで、かしめ部には２種類の封印構造が採用されており、その１つは係止構造による係止封印部であり、もう１つはねじ封印部である。図２ないし図６に示すように、前者の係止封印部４９は、ベース４３の右側面に形成された突部５１と、突部５１内側に前方に突出して一体形成されその先端に係止爪５３ａを有する係止体５３ｂとから成る係止部５３を備えると共に、カバー４５の右側面に形成された前後方向の突条部５５と、この突条部５５の内側に形成された凹部５７と、カバー４５の凹部５７の上下端に連続しカバー４５の後端まで延びて形成された溝５９とから成る被係止部６１を備える。そして、特に図５に示されるように、ベース４３をカバー４５により覆うことにより、係止部５３の係止爪５３ａが被係止部６１の凹部５７に係止し、これにより基板ケース４１が封印される。
【００２４】
ここで、溝５９によって、凹部５７周辺における肉厚がカバー４５の右側面の厚みよりも薄くなっており、溝５９の後端に当たるカバー４５の右側後端面にはＶ字状のノッチと称される切込み６３が形成され、後述するように、被係止部６１を切離する際に切込み６３から薄肉の溝５９に沿って亀裂が入りやすくなるように設定されている。
【００２５】
更に、特に図５に示されるように、ベース４３の突部５１の外前側には凹状の切欠部６５が形成されており、この切欠部６５は、係止部５３の係止爪５３ａが被係止部６１の凹部５７に係止した状態において、被係止部６１を切離する際に、カバー４５の端面との間にマイナスドライバの先端を挿入し易くするための隙間を形成するためのものである。
【００２６】
また、特に図７に示されるように、四角形状のスペーサ６７が凹部５７に挿脱自在に嵌挿されており、このスペーサ６７を凹部５７に嵌挿しておけば、係止部５３を被係止部６１に係止させないままベース４３をカバー４５で覆う場合に、係止爪５３ａの凹部５７への係止を阻止している。尚、スペーサ６７の形状は、凹部５７並びにこの凹部５７に連続している溝５９に嵌挿する形状（例えば、凹字状）であってもよい。
【００２７】
そして、図３ないし図７に示すように、カバー４５の被係止部６１近傍に補強部としての一対のリブ６９が形成され、係止部５３の係止爪５３ａを被係止部６１の凹部５７に係止させたときに、両リブ６９がベース４３の右側内面に当接するようになっている。このとき、突条部５５を構成する上下壁面がカバー４５の後端面よりも更に後方にまで延長されて両リブ６９がカバー４５に一体形成されている。
【００２８】
このようなリブ６９の当接により、係止部近傍のベース４３の撓みを防止することができ、ベース４３を外部から撓ませることによる係止部５３の被係止部６１との係止解除を防止している。
【００２９】
図２ないし図６に示すように、上記したねじ封印部７１は、ねじを用いた従来構造とほぼ同様であり、カバー４５の右側面であって係止封印部４９の下方に形成された複数個（ここでは、５個）のカバー側封印部７３Ｂ，７３Ｃ，７３Ｄ，７３Ｅ，７３Ｆと、ベース４３の右側面の各カバー側封印部７３Ｂ〜７３Ｆそれぞれに対向する位置に形成された複数個（ここでは、５個）のベース側封印部７５Ｂ，７５Ｃ，７５Ｄ，７５Ｅ，７５Ｆと、各カバー側封印部７３Ｂ〜７３Ｆ側それぞれから各ベース側封印部７５Ｂ〜７５Ｆそれぞれに螺合されるねじ（図示せず）とを備えている。
【００３０】
そして、図２及び図３に示すように、各カバー側封印部７３Ｂ〜７３Ｆはそれぞれ、可撓性を有する１個の切断可能な支持片７７を介してカバー４５の右側面に一体形成された円筒状体７９から成り、この円筒状体７９の内側に複数の保持梁を介して保持されたボス８１にねじが螺着されるようになっている。ここで、ねじは通常のマイナスねじ、プラスねじのどちらでもよいが、不正行為をより確実に防止するためには、マイナスねじであってマイナスドライバの係合溝が逆動できないように傾斜構造になっているものが望ましい。
【００３１】
一方、特に図３に示されるように、ベース側封印部７５Ｂ〜７５Ｆはそれぞれ、可撓性を有する切断可能な支持片（図示せず）を介してベース４３の右側面に一体形成された短い円筒状体８３から成る。このとき、図２に示すように、カバー側封印部７３Ｂ〜７３Ｆの支持片７７とベース側封印部７５Ｂ〜７５Ｆ側の支持片とは、正面視重複しているが、これら両支持片は正面視重複しないようにずらして形成しておくのが望ましく、こうすると各支持片７７の破損状況が外部から容易に視認することができる。
【００３２】
尚、筐体３内の上部の所定位置に固着されたホルダ（図示せず）に基板ケース４１を固定するために、１〜５番目のベース側封印部７５Ｂ〜７５Ｆのうち、例えば１〜４番目のベース側封印部７５Ｂ〜７５Ｅを成す円筒状体８３は、ホルダ側のねじ穴に連通するようにホルダに当接して配設され、ねじの螺合時には、カバー側封印部７３Ｂ〜７３Ｅの円筒状体７９側からベース側封印部７５Ｂ〜７５Ｅの円筒状体８３の孔に遊通されたねじがホルダのねじ穴にも螺合するようになっている。
【００３３】
ところで、従来の場合と同様に、当初内蔵されている制御基板４７上の正規のＲＯＭを取り外して不正な変造ＲＯＭが取り付けられることを防止するために、まず係止封印部４９における被係止部６１の凹部５７に嵌挿されているスペーサ６７が除去され、ベース４３がカバー４５により覆われて係止部５３の係止爪５３ａが凹部５７に係止され、これにより基板ケース４１が封印され、この封印状態のまま制御基板４７が基板ケース４１ごとパチンコホールに搬送される。
【００３４】
更に、パチンコホールにおいて、ねじ封印部７１における１番目のカバー側封印部７３Ｂのボス８１側からベース側封印部７５Ｂ及びホルダにねじが螺合され、封印状態の基板ケース４１が筐体３内部の所定位置に固定される。
【００３５】
そして、監督機関が変造ＲＯＭを取り締まるために、パチンコホールにおいてチェックする際には、係止封印部４９の切欠部６５の隙間にマイナスドライバの先端が挿入され、切込み６３から薄肉の溝５９に沿って亀裂が入れられて被係止部６１が切離され、係止部５３の被係止部６１との係止が解除されると共に、封印状態の１番目のカバー側封印部７３Ｂ，ベース側封印部７５Ｂが、それらを支持する支持部７７において切断される。こうして、封印解除されてカバー４５が開放可能な状態とされた後、所定のチェック作業が実行され、チェック終了後にはねじ封印部７１の２番目のカバー側封印部７３Ｃのボス８１側からベース側封印部７５Ｃ及びホルダにねじが螺合され、基板ケース４１が再び封印されると同時に、ホルダを介して基板ケース４１が筐体３に固定される。
【００３６】
このような監督機関による変造ＲＯＭの取り締まりごとに、ねじ封印部７１の３番目、４番目のカバー側封印部７５Ｄ，７５Ｅが、ベース側封印部７５Ｄ，７５Ｅ及びホルダにねじにより接合されて基板ケース４１が封印される。
【００３７】
尚、制御基板４７を基板ケース４１ごと回収する際には、ねじ封印部７１の封印されている４番目のカバー側封印部７３Ｅ，ベース側封印部７５Ｅが、それらを支持する各支持部７７において切断されて封印解除され、基板ケース４１が筐体３内部から取り外し可能な状態にされると共に、ねじ封印部７１の５番目のカバー側封印部７３Ｆのボス８１側からベース側封印部７５Ｆにねじが螺合され、基板ケース４１が再び封印され、基板ケース４１が封印状態のまま搬送可能な状態にされ、制御基板４７が基板ケース４１ごと回収される。
【００３８】
従って、上記した実施形態によれば、ベース４３をカバー４５で覆うことにより、係止部５３の係止爪５３ａが被係止部６１の凹部５７に係止するため、係止部５３の被係止部６１への係止によって、基板ケース４１を簡単に封印することが可能になる。
【００３９】
また、被係止部６１がカバー４５の内側に形成されているため、外部から係止状態の係止部５３及び被係止部６１に対して細工することを防止でき、不正行為を確実に防止することが可能になる。
【００４０】
更に、リブ６９が係止部５３近傍のベース４３の内側面に当接するため、係止部５３近傍のベース４３の撓みをリブ６９によって防止することができ、ベース４３を外部から撓ませることによる係止部５３の被係止部６１との係止解除を未然に防止でき、不正行為をより確実に防止することができる。
【００４１】
なお、本発明は上記した実施形態に限定されるものではなく、その趣旨を逸脱しない限りにおいて上述したもの以外に種々の変更を行うことが可能である。
【００４２】
例えば、上記した実施形態において、１個の係止封印部４９と複数個のねじ封印部７１とを併用した場合について説明したが、上記した係止封印部４９を複数個設けてもよいのは勿論である。
【００４３】
また、上記した実施形態では、係止部５３をベース４３に、被係止部６１をカバー４５にそれぞれ形成した場合について説明したが、これとは逆に係止部５３をカバー４５に形成し、被係止部６１をベース４３に形成してもよく、このとき係止部と被係止部との係止部分が外部からアクセスできないようにベース４３及びカバー４５の内側に係止部分を配設しておけばよい。
【００４４】
更に、係止部５３及び被係止部６１の構造も、それぞれ上記した係止爪５３ａやこれが係止する凹部５７から成るものに限られず、要するに係止可能であればどのような構成でもよい。
【００４５】
また、上記した実施形態では、ねじ封印部７１における１〜４番目のカバー側封印部７３Ｂ〜７３Ｅのボス８１側からベース側封印部７５Ｂ〜７５Ｅ及びホルダにねじを螺合し、ホルダを介して基板ケース４１を筐体３に固定するようにした場合について説明したが、ねじ封印部７１の各カバー側封印部７３Ｂ〜７３Ｆ及び各ベース側封印部７５Ｂ〜７５Ｆはねじの螺合により基板ケース４１を封印するのみで、基板ケース４１を筐体に固定する手段をこれらねじ封印部７１とは別に設けておいても構わない。この場合には、全ての封印部を係止封印部４９により構成することができる。
【００４６】
更に、上記した実施形態では、各カバー側封印部７３Ｂ〜７３Ｆを円筒状体７９により、各ベース側封印部７５Ｂ〜７５Ｆを円筒状体８３によりそれぞれ構成した例を示したが、これら円筒状体７９，８３に代えて角筒状体により構成してもよい。
【００４７】
また、上記した実施形態では、カバー側封印部７３Ｂ〜７３Ｆ、ベース側封印部７５Ｂ〜７５Ｆをそれぞれ５個としているが、これらの個数は特に５個に限定されるものではない。
【００４８】
更に、上記した実施形態では、本発明をスロットマシンに適用した場合について説明したが、パチンコ機といった他の遊技機にも本発明を適用することができ、その場合にも上記した各実施形態と同等の効果を得ることができる。
【００４９】
【発明の効果】
以上のように、請求項１に記載の発明によれば、ベースをカバーで覆うことにより、係止部が被係止部に係止するため、係止部の被係止部への係止により基板ケースを容易に封印することが可能になる。
【００５０】
また、被係止部がベースまたはカバーの他方の内側に形成されているため、外部から係止状態の係止部及び被係止部に対して細工することを防止でき、不正行為を確実に防止することが可能になる。
【００５１】
更に、補強部が係止部近傍のベースまたはカバーに当接するため、係止部近傍のベースまたはカバーの撓みを補強部によって防止することができ、ベースまたはカバーを外部から撓ませることによる係止部の被係止部との係止解除を未然に防止でき、不正行為をより確実に防止することが可能になる。
【００５２】
また、請求項２に記載の発明によれば、ベースをカバーで覆うことにより、係止爪が凹部に係止して基板ケースが封印されるため、従来のようなねじ止め作業等が不要になり、封印作業を非常に簡単に行うことが可能になる。
【００５３】
また、請求項３に記載の発明によれば、ベースまたはカバーの被係止部周辺における肉厚が薄いため、基板ケースの封印を解除する必要が生じた場合に、薄肉部分において被係止部を切離することができ、係止部と被係止部との係止状態を簡単に解除して基板ケースの封印を解除することが可能になる。
【００５４】
また、請求項４に記載の発明によれば、係止部を被係止部に係止させないままベースをカバーで覆う際に、被係止部を成す凹部にスペーサを嵌挿しておくことにより、係止部が被係止部に誤って係止してしまうのを防止することが可能になる。
【図面の簡単な説明】
【図１】この発明の一実施形態におけるスロットマシンの正面図である。
【図２】この発明の一実施形態におけるケースの一部の正面図である。
【図３】この発明の一実施形態におけるケースの一部の右側面図である。
【図４】この発明の一実施形態における他の一部の分解斜視図である。
【図５】この発明の一実施形態における異なる一部の切断平面図である。
【図６】図５の異なる断面における切断平面図である。
【図７】図５の異なる状態における切断平面図である。
【図８】従来例の斜視図である。
【符号の説明】
１　　スロットマシン（遊技機）
３　　筐体（遊技機筐体）
４１　基板ケース
４３　ベース
４５　カバー
４７　制御基板
４９　係止封印部
５３　係止部
５３ａ　係止爪
５３ｂ　係止体
５７　凹部
５９　溝
６１　被係止部
６９　リブ（補強部）
【図１】
2004049469.tif 000003
【図２】
2004049469.tif 000004
【図３】
2004049469.tif 000005
【図４】
2004049469.tif 000006
【図５】
2004049469.tif 000007
【図６】
2004049469.tif 000008
【図７】
2004049469.tif 000009
【図８】
2004049469.tif 000010